(57)【特許請求の範囲】
【請求項１】
外カバーの内側に、軒樋を接続する二個の継手部材を摺動可能に嵌装した軒樋伸縮継手であって、上記外カバーに形成した被係合部に、２つの係合片を有する位置決め具を上記継手部材の摺動方向に移動しないように係合させて脱着自在に取付け、位置決め具の一方の係合片を一方の継手部材に固定した内カバーに形成した被係合部に係合させると共に、位置決め具の他方の係合片を他方の継手部材に形成した被係合部に係合させて、双方の継手部材を適正な位置に位置決めしたことを特徴とする軒樋伸縮継手。
【請求項２】
前記位置決め具に形成した挟持片と前記係合片とで前記外カバーの前壁部又は後壁部のいずれか一方の上端部を挟み込んで前記位置決め具を脱着自在に取付け、該上端部に形成した凸部又は凹部を被係合部として前記位置決め具を移動しないように係合させたことを特徴とする請求項１に記載の軒樋伸縮継手。
【請求項３】
前記二個の継手部材を伸縮自在な水密性の伸縮体で連結すると共に、この伸縮体を前記内カバーで被覆し、前記内カバーの内面上部に形成した溝部を被係合部として前記位置決め具の一方の係合片を係合させると共に、他方の継手部材に形成した中間板を被係合部として前記位置決め具の他方の係合片を係合させたことを特徴とする請求項１又は請求項２に記載の軒樋伸縮継手。
【発明の詳細な説明】
【０００１】
【発明の属する技術分野】
本発明は、温度差による軒樋の伸縮を吸収できる軒樋伸縮継手に関し、特に、内側に嵌装される二個の継手部材を適正な位置に位置決めして軒樋接続作業を行うことができる軒樋伸縮継手に関する。
【０００２】
【従来の技術】
軒樋伸縮継手には種々のタイプのものがあるが、その一つとして、断面Ｕ字状の外継手の内側に、軒樋を接続する二個の継手部材を摺動自在に嵌装したタイプのものが知られている。
【０００３】
かかる軒樋伸縮継手は、温度変化により軒樋が伸縮すると、それに追従して双方の継手部材が外継手の内側で摺動するため、軒樋の伸縮を吸収できるものである。
【０００４】
【発明が解決しようとする課題】
しかしながら、上記の軒樋伸縮継手は、接続作業を行うときには双方の継手部材が外継手の内側の適正な位置に位置決め固定されていないため、継手部材が摺動して適正な位置で軒樋を接続することが難しく、不適正な位置で接続を行うと、その後の軒樋の収縮によって継手部材が外継手から外れ落ちたり、軒樋の伸張によって継手部材同士が当たってそれ以上の伸びを吸収できなくなるという問題があった。
【０００５】
また、上記の軒樋伸縮継手は、双方の継手部材が不透水材で水密的に連結されていないため、継手部材と外継手の隙間にそれぞれ防水パッキン等を挟んでも、軒樋を真直ぐに施工しないと軒樋伸縮継手に無理な力が加わり、雨水が漏れやすくなるという問題があった。
【０００６】
本発明は上記問題に対処すべくなされたもので、その目的とするところは、双方の継手部材が適正な位置に位置決めされ、漏水も生じない軒樋伸縮継手を提供することにある。
【０００７】
【課題を解決するための手段】
上記の目的を達成するため、本発明の請求項１に係る軒樋伸縮継手は、外カバーの内側に、軒樋を接続する二個の継手部材を摺動可能に嵌装した軒樋伸縮継手であって、上記外カバーに形成した被係合部に、２つの係合片を有する位置決め具を上記継手部材の摺動方向に移動しないように係合させて脱着自在に取付け、位置決め具の一方の係合片を一方の継手部材に固定した内カバーに形成した被係合部に係合させると共に、位置決め具の他方の係合片を他方の継手部材に形成した被係合部に係合させて、双方の継手部材を適正な位置に位置決めしたことを特徴とするものである。
【０００８】
このような構成の軒樋伸縮継手は、位置決め具の一方の係合片が一方の継手部材に固定された内カバーに形成された被係合部に係合すると共に、位置決め具の他方の係合片が他方の継手部材に形成された被係合部に係合しているため、双方の継手部材が位置決め具と固定関係にあり、且つ、位置決め具が継手部材の摺動方向に移動しないように外カバーに形成された被係合部に係合して外カバーと固定関係にあるため、この位置決め具を介して双方の継手部材と外カバーが互いに固定され、双方の継手部材が外カバー内側の適正な位置に位置決めされて摺動不能となる。従って、双方の継手部材を適正な位置に位置決めしたまま軒樋の接続作業を行うことができるので、接続後に位置決め具を取り除けば、その後の軒樋の伸縮によって継手部材が外カバーから外れ落ちたり継手部材同士が当たったりすることなく、軒樋の伸縮を満足に吸収することができる。
【０００９】
次に、本発明の請求項２に係る軒樋伸縮継手は、上記請求項１の軒樋伸縮継手において、位置決め具に形成した挟持片と係合片とで外カバーの前壁部又は後壁部のいずれか一方の上端部を挟み込んで位置決め具を脱着自在に取付け、該上端部に形成した凸部又は凹部を被係合部として位置決め具を移動しないように係合させたことを特徴とするものである。
【００１０】
このような構成の軒樋伸縮継手は、外カバーの前壁部又は後壁部の上端部を挟持片と係合片とで挟み込むだけで位置決め具を簡単に取付けることができ、位置決め具の取外しも簡単に行うことができる。そして、該上端部に形成した凸部又は凹部を被係合部として位置決め具を移動しないように係合させることにより、確実に双方の継手部材を適正な位置に位置決めすることができる。
【００１１】
次に、本発明の請求項３に係る軒樋伸縮継手は、上記請求項１又は２の軒樋伸縮継手において、二個の継手部材を伸縮自在な水密性の伸縮体で連結すると共に、この伸縮体を内カバーで被覆し、この内カバーの内面上部に形成した溝部を被係合部として位置決め具の一方の係合片を係合させると共に、他方の継手部材に形成した中間板を被係合部として位置決め具の他方の係合片を係合させたことを特徴とするものである。
【００１２】
このような軒樋伸縮継手は、水密性の伸縮体によって双方の継手部材を連結しているため漏水の恐れがなく、しかも、伸縮体が内カバーで覆われているため、直射日光を受けて伸縮体が劣化したりゴミが溜ったりすることもない。そして、一方の継手部材に固定した内カバーに形成した溝部と、他方の継手部材に形成した中間板を、それぞれ被係合部として位置決め具の双方の係合片を係合させてあるので、位置決め具を介して双方の継手部材を外カバー内部の適正な位置に確実に位置決めすることができる。
【００１３】
【発明の実施の形態】
以下、図面を参照して本発明の具体的な実施形態を詳述する。
【００１４】
図１は本発明の一実施形態に係る軒樋伸縮継手の斜視図、図２は同軒樋伸縮継手の縦断面図、図３は双方の継手部材の間隔が最大となった状態の同軒樋伸縮継手の縦断面図、図４は同軒樋伸縮継手の外カバーと位置決め具の斜視図、図５は同軒樋伸縮継手の一方の継手部材の斜視図、図６は同軒樋伸縮継手の他方の継手部材の斜視図、図７は同軒樋伸縮継手の伸縮体の斜視図、図８は同軒樋伸縮継手の内カバーの斜視図、図９は同軒樋伸縮継手の内カバーを取外し、外カバーを透して双方の継手部材と伸縮体を斜めから見た透視図、図１０は位置決め具の取付け状態を示す側面図である。
【００１５】
この軒樋伸縮継手は、図１〜図３に示すように、外カバー１の内側に二個の継手部材２，３を摺動可能に嵌装して、双方の継手部材２，３を伸縮自在な水密性の伸縮体４で連結し、伸縮体被覆用の内カバー５を一方の継手部材３に取付けると共に、位置決め具７を外カバー１に取付けて双方の継手部材２，３を外カバー１内の適正な位置に位置決めしたものである。
【００１６】
外カバー１は、塩化ビニル樹脂、ＡＡＳ（アクリロニトリル−アクリロニトリルゴム−スチレン）樹脂、ＡＳ（アクリル−スチレン）樹脂、ＰＣ（ポリカーボネート）樹脂などの熱可塑性樹脂で成形されたものであって、図４に示すように、底壁部１ａから立上がる前壁部１ｂの上端と後壁部１ｃの上端には、継手部材２，３の耳押え部を押さえる略Ｌ字形の押え部１ｄと略コ字形の押え部１ｅが形成されている。
【００１７】
この前壁部１ｂ上端の押え部１ｄには、位置決め具７を継手部材２，３の摺動方向に移動しないように係合させる被係合部として、一対の凸部１ｉ，１ｉが形成されており、後述するように、位置決め具７が凸部１ｉ，１ｉの間に嵌まり込んだ状態で移動不能に係合して脱着自在に取付けられるようになっている。そして、これらの凸部１ｉ，１ｉの内側には、位置決め具７の係合片７ａ，７ｂの略直角屈曲部がそれぞれ嵌まり込む凹部１ｊ，１ｊが形成されており、これらの凹部１ｊ，１ｊも被係合部として補助的に機能するものである。なお、凹部１ｊ，１ｊを深く形成しておけば、凸部１ｉ，１ｉを補助的に或は形成しなくとも位置決め具７を係合させることも可能である。
【００１８】
この外カバー１は、継手部材２，３の形状に対応するように、前壁部１ｂが少し後側へ彎曲傾斜して後壁部１ｃよりも高く形成されており、前壁部１ｂの途中には段部１ｆが形成されている。また、この外カバー１の底壁部１ａの内面（上面）には、突起１ｇ，１ｈが形成されている。この突起１ｇ，１ｈについては後で説明する。
【００１９】
継手部材２，３はいずれも、外カバー１と同様の熱可塑性樹脂で成形されたものであって、片方の継手部材２は、図５に示すように軒樋接続部２ａに長い略Ｕ字状の溝型部２ｂが一体形成されており、もう一方の継手部材３は、図６に示すように軒樋接続部３ａに短い略Ｕ字状の溝型部３ｂが一体形成されている。
【００２０】
継手部材２の軒樋接続部２ａは、軒樋６の形状に対応するように、底壁部２ｃから立上がる前壁部２ｄが少し後側へ彎曲傾斜して後壁部２ｆよりも高く形成され、その途中に段部２ｅが設けられると共に、この前壁部２ｄの上端と後壁部２ｆの上端に、軒樋６の耳部６ａ，６ｂを押さえる略Ｌ字形の耳押え部２ｇと略コ字形の耳押え部２ｈが形成されたものであり、この軒樋接続部２ａの内側には軒樋６の内面を押さえる押え板２ｉが設けられている。従って、図２、図３、図５に一点鎖線で示すように、軒樋６の端部が軒樋接続部２ａと内側の押え板２ｉとの隙間部分に差込まれ、軒樋６の前後の耳部６ａ，６ｂが耳押え部２ｇ，２ｈに押えられて、軒樋６が継手部材２に接続されるようになっている。この軒樋接続部２ａの耳押え部２ｇ，２ｈは、端部側の略半分が切り欠かれているため、軒樋６の差込み作業がし易くなっている。
【００２１】
継手部材２の略Ｕ字状溝型部２ｂの先端内面には、伸縮体４の端部の二条の凸リブを嵌着するための二条の細溝２ｊ，２ｊが形成されており、この細溝の軒樋接続部２ａ側の溝側壁部２ｋは一段高く形成されて、内カバー５の係止部を係止させる被係止部となっている。そして、この略Ｕ字状溝型部２ｂの先端外面には、軒樋接続部２ａの端部の輪郭と同じ輪郭を有する鍔部２ｍが形成されており、継手部材２を外カバー１の内側へ嵌装した状態では、この鍔部２ｍと軒樋接続部２ａが外カバー１の内面に当接して、継手部材２が傾くことなくスムーズに摺動できるようになっている。また、この略Ｕ字状溝型部２ｂの後壁部上端には段部２ｎが形成されており、この段部２ｎによって内カバー５の後壁部上端の段部が支持されて、内カバー５が傾くことなくスムーズに摺動できるようになっている。更に、軒樋接続部２ａと略Ｕ字状溝型部２ｂとの間には、位置決め具７の一方の係合片７ａを係合させる被係合部となる中間板２ｐが設けられており、この中間板２ｐの下部中央には水抜き用の切欠部２ｑが形成されていて、略Ｕ字状溝型部２ｂに雨水が溜まらないようになっている。
【００２２】
もう一方の継手部材３の軒樋接続部３ａは、上記継手部材２の軒樋接続部３ａと左右対称の構造であって、底壁部３ｃから立上がる前壁部３ｄが少し後側へ彎曲傾斜して後壁部３ｆよりも高く形成され、その途中に段部３ｅが設けられると共に、この前壁部３ｄの上端と後壁部３ｆの上端に、軒樋６の耳部６ａ，６ｂを押さえる略Ｌ字形の耳押え部３ｇと略コ字形の耳押え部３ｈが略半分切り欠かれて形成されている。そして、この軒樋接続部３ａの内側には、軒樋６の内面を押さえる押え板３ｉが設けられている。
【００２３】
また、この軒樋接続部３ａに一体形成された短い略Ｕ字状溝型部３ｂの内面には、伸縮体４の端部の二条の凸リブを嵌着するための二条の細溝３ｊ，３ｊと、内カバー５の取付用フランジ部を嵌合するための嵌合溝３ｐが設けられており、この嵌合溝３ｐの溝側壁部は細溝３ｊ，３ｊの溝側壁部よりも一段高く形成されている。そして、この略Ｕ字状溝型部３ｂの先端外面には、軒樋接続部３ａの端部の輪郭と同じ輪郭を有する鍔部３ｍが形成されており、更に、略Ｕ字状溝型部３ｂの後壁部上端には、内カバー５の後壁部上端の段部を支持する段部３ｎが形成されている。
【００２４】
上記の鍔部３ｍと軒樋接続部３ａとの間の略Ｕ字状溝型部３ｂの外面は凹設され、継手部材３の摺動方向と直角方向の係合溝３ｒが形成されている。そして、図２，図３に示すように、この係合溝３ｒの内部に前述した外カバー１内面の突起１ｇが突入している。そのため、継手部材３が摺動すると、突起１ｇが係合溝３ｒの両側の溝側壁（換言すれば鍔部３ｍと、反対側の軒樋接続部３ａの端部）に係合して、継手部材３の摺動範囲が係合溝３ｒの溝幅の範囲内に制限されるようになっている。
【００２５】
同様に、前記継手部材２の軒樋接続部２ａと略Ｕ字状溝型部２ｂ先端の鍔部２ｍとの間の空間部には、外カバー１内面のもう一つの突起１ｈが突入し、継手部材２の摺動範囲が該空間部の範囲内で制限されるようになっている。
【００２６】
継手部材２，３を連結する伸縮体４は、図７に示すように全体がＵ字状に形成された合成ゴム等から成る伸縮自在な水密性の蛇腹体であって、この伸縮体４の両端部外面には二条の凸リブ４ａ，４ａがそれぞれ形成されている。そして、この伸縮体４は、図２，図３、図９に示すように、両端部外面の凸リブ４ａ，４ａを双方の継手部材２，３の前記細溝２ｊ，３ｊに嵌着することによって継手部材２，３に取付けられ、この伸縮体４を介して双方の継手部材２，３が水密的に連結されている。
【００２７】
尚、伸縮体４としては、最初からＵ字状に形成された蛇腹体の他に、平坦な蛇腹シートを用いて、これを組立時に継手部材２，３の細溝２ｊ，３ｊに嵌着することでＵ字状となして水密的に連結してもよく、また、蛇腹体ではない伸縮自在な他の柔軟なシートを伸縮体４として用いて、同様に双方の継手部材２，３を水密的に連結してもよい。
【００２８】
伸縮体４を被覆保護する内カバー５は、前記の外カバー１と同様の熱可塑性樹脂からなるもので、図８に示すように、前壁部が後壁部よりも高い略Ｕ字状に成形されており、その後壁部上端には段部５ａが形成されている。そして、この内カバー５の一端外面には取付用フランジ部５ｂが形成され、他端外面には係止部となる係止用フランジ部５ｃが形成されている。また、前壁部の他端寄りの内面上部には２本のリブ５ｅ，５ｅが設けられ、位置決め具７の一方の係合片７ａを係合させる被係合部となる溝部５ｄが該リブ５ｅ，５ｅの間に形成されている。
【００２９】
この内カバー５は、図２，図３に示すように、一端の取付用フランジ部５ｂを一方の継手部材３の嵌合溝３ｐに嵌合して取付けられ、一方の継手部材３の一部となっている。そして、この内カバー５の係止用フランジ部５ｃは、他方の継手部材２の略Ｕ字状溝型部２ｂの内底面に近接し、ゴミ等が伸縮体４の方へ入り込まないようになっている。
【００３０】
位置決め具７は、前述した外カバー１と同様の熱可塑性樹脂で射出成形されたものであって、図４に示すように、２つの側片と頂片とにより略コ字形に形成されている。側片の一方は外カバー１と係合する挟持片７ｃとなり、他方は継手部材２，３と係合する係合片となる。該係合片は二股状に分岐して途中で略直角に屈曲した形状の２つの係合片７ａ，７ｂとなされていて、一方の係合片７ａは、前記内カバー５の溝部５ｄに係合させたとき、その下端部が溝部５ｄの底面に沿うように斜め前方へ「く」字状に屈曲されている。そして、図４，図１０に示すように、双方の係合片７ａ，７ｂの後面には係止爪７ｄが形成されている。また、挟持片７ｃの下端部も、図４，図１０に示すように斜め後方へ「く」字状に屈曲され、この位置決め具７を取り外すときに指が該屈曲下端部に引掛かりやすいようになっている。
【００３１】
この位置決め具７は、図１，図２，図１０に示すように、挟持片７ｃと双方の係合片７ａ，７ｂとで外カバー１の前壁部１ｂの上端部を弾性的に挟み込み、双方の係合片７ａ，７ｂの係止爪７ｄ，７ｄを外カバー１上端の押え部１ｄに上方から係止させることによって取付けられており、該押え部１ｄに形成した凸部１ｉ，１ｉを被係合部として、その間に位置決め具７が嵌まり込んだ状態で継手部材２，３の摺動方向に移動できないように係合されている。そして、一方の係合片７ａの屈曲下端部が、一方の継手部材３に取付けられた内カバー５の溝部５ｄを被係合部として該溝部５ｄに係合され、他方の係合片７ｂが他方の継手部材２の中間板２ｐを被係合部として該中間板２ｐに係合されている。また、双方の係合片７ａ，７ｂの略直角屈曲部は、被係合部として補助的に機能する外カバー１上端の凹部１ｊ，１ｊに嵌まり込み、位置決め具７の移動阻止を補助している。
【００３２】
以上のような構成の軒樋伸縮継手は、位置決め具７の一方の係合片７ａが一方の継手部材３に取付けられた内カバー５の溝部５ｄに係合して位置決め具７と一方の継手部材３が固定関係にあり、また、位置決め具７の他方の係合片７ｂが他方の継手部材２の中間板２ｐに係合して位置決め具７と他方の継手部材２が固定関係にあり、更に、位置決め具７が外カバー１上端の凸部１ｉ，１ｉと係合して位置決め具７と外カバー１が固定関係にあるため、結果的に該位置決め具７を介して双方の継手部材２，３と外カバー１が互いに固定され、双方の継手部材２，３が外カバー１内側の適正な位置に位置決めされている。従って、この軒樋伸縮継手は、双方の継手部材２，３を適正な位置に位置決めしたまま軒樋６，６の接続作業を行うことができるので、接続作業が容易である。
【００３３】
そして、軒樋接続後、図１０に示すように位置決め具７の挟持片７ｃの屈曲下端部を矢印の方向に指で回すと、位置決め具７を簡単に取り除くことができ、このように位置決め具７を取り除けば、軒樋６，６の伸縮に追従して双方の継手部材２，３が外カバー１内を摺動し、その伸縮を吸収することができる。その場合、軒樋接続の際に双方の継手部材２，３を適正な位置に位置決めしているので、軒樋６，６の伸縮によって継手部材２，３が外カバー１から外れ落ちたり継手部材２，３が互いに当たったりすることはない。
【００３４】
特に、この実施形態の軒樋伸縮継手では、軒樋６，６が大きく収縮した場合でも、内カバー５の係止用フランジ部５ｃが他方の継手部材２の前記細溝の溝側壁部２ｋに係止して、双方の継手部材２，３の間隔がそれ以上拡大することがないので、伸縮体４に無理な力が加わることがなくて、伸縮体４の伸びによる引き裂きや伸縮性を損なうことがない。また、外カバー１の突起１ｇ，１ｈが一方の継手部材３の係合溝３ｒや他方の継手部材２の前記空間部に係合することによって、双方の継手部材２，３の摺動範囲が制限されるため、継手部材２，３が外カバー１から外れ落ちる心配は皆無である。
【００３５】
そして、双方の継手部材２，３が水密性の伸縮体４によって連結されているため漏水の心配がなく、この伸縮体４は内カバー５で被覆保護されているので、直射日光を受けて劣化したり、ゴミが溜まったりする心配もない。
【００３６】
上述の実施形態では、位置決め具７を外カバー１の前壁部１ｂの上端部に取付けて双方の継手部材２，３を位置決めしているが、位置決め具７を外カバー１の後壁部１ｃの上端部に取付けて双方の継手部材２，３の位置決めを行うようにしてもよいことは言うまでもない。また、位置決め具７き係合片７ａ，７ｂは二股状に分岐させているが、この係合片７ａ，７ｂ同士を連結して段差を有する連結板となし位置決め強度を高めてもよい。更に、外カバー１や継手部材２，３の形状を、丸樋や通常の角樋に対応した形状に変更するなど、種々の設計的変更をしてもよいことは勿論である。
【００３７】
【発明の効果】
以上の説明から明らかなように、本発明の軒樋伸縮継手は、双方の継手部材を外カバー内の適正な位置に位置決めしたまま軒樋を接続することができるので、位置決め具を取り除いた後、軒樋の収縮に伴って継手部材が外カバーから外れ落ちたり、軒樋の伸張に伴って継手部材同士が当たる心配が解消されるといった顕著な効果を奏し、特に、水密性の伸縮体で双方の継手部材を連結し、内カバーで該伸縮体を被覆するようにした軒樋伸縮継手は、漏水、ゴミ詰まり、伸縮体の劣化等を防止できるといった効果を併せて奏する。
【図面の簡単な説明】
【図１】本発明の一実施形態に係る軒樋伸縮継手の斜視図である。
【図２】同軒樋伸縮継手の縦断面図である。
【図３】双方の継手部材の間隔が最大となった状態の同軒樋伸縮継手の縦断面図である。
【図４】同軒樋伸縮継手の外カバーと位置決め具の斜視図である。
【図５】同軒樋伸縮継手の一方の継手部材の斜視図である。
【図６】同軒樋伸縮継手の他方の継手部材の斜視図である。
【図７】同軒樋伸縮継手の蛇腹体の斜視図である。
【図８】同軒樋伸縮継手の内カバーの斜視図である。
【図９】同軒樋伸縮継手の内カバーを取外し、外カバーを通して双方の継手部材と蛇腹体を斜めから見た透視図である。
【図１０】位置決め具の取付け状態を示す側面図である。
【符号の説明】
１  外カバー
１ｂ  前壁部
１ｃ  後壁部
１ｄ，１ｅ  押え部
１ｉ  凸部（被係合部）
１ｊ  凹部（補助的な被係合部）
２，３  継手部材
２ｐ  中間板（被係合部）
４  伸縮体
５  一方の継手部材に取付けられた内カバー
５ｄ  溝部（被係合部）
６  軒樋
７  位置決め具
７ａ，７ｂ  係合片
７ｃ  挟持片
【図１】
0004397098.tif 000002
【図２】
0004397098.tif 000003
【図３】
0004397098.tif 000004
【図４】
0004397098.tif 000005
【図５】
0004397098.tif 000006
【図６】
0004397098.tif 000007
【図７】
0004397098.tif 000008
【図８】
0004397098.tif 000009
【図９】
0004397098.tif 000010
【図１０】
0004397098.tif 000011